(57)【特許請求の範囲】
【請求項１】
上部にベルマウス状のオリフィスを形成した吸込口を有し、下部が開放している正方形または長方形のチャンバーを有し、このチャンバーの下部にフィルターが取り付けられ、チャンバー内部に複数の電動機によって駆動される複数のファンを有し、その複数の電動機が、チャンバーの側面または吸込口を有するチャンバー上部に取り付けられた一つの固定台に固定され、前記複数のファンは各々異なる定格回転数としたファンフィルターユニット。
【発明の詳細な説明】
【技術分野】
【０００１】
本発明は、半導体工場、食品工場などの清浄空間を必要とするクリーンルームで使用されるファンフィルターユニットに関するものである。
【背景技術】
【０００２】
従来、この種のファンフィルターユニットはファンとフィルターの間に二つの遮蔽板を有し、チャンバー内部及び遮蔽板に吸音材を貼着したものが知られている（例えば特許文献１参照）。
【０００３】
以下、この種のファンフィルターユニットについて、図７を参照しながら説明する。図７に示すように、上部に吸込口を有し、下部が開口した空気吹出用のチャンバー１０１の内部にファン１０２を取り付け、下部開口部にフィルター１０３を取り付けたファンフィルターユニットにおいて、ファン１０２とフィルター１０３の間に吸音材１０４を貼着した第一遮蔽板１０５を取り付けると共に、チャンバー１０１の側壁には第一遮蔽板１０５のフランジに一定の間隔をおいて第二遮蔽板１０６を配置したものであった。
【特許文献１】特開平６−１５９７５２号公報
【発明の開示】
【発明が解決しようとする課題】
【０００４】
このような従来のファンフィルターユニットでは、吹出し風速の均一化をはかるため二つの遮蔽板が必要であり、二つの遮蔽板による圧力損失が大きく、騒音が増加するという課題があり、圧力損失を小さくし、高効率、低騒音にすることが要求されている。
【０００５】
また、遮蔽板を送風機の下流側に設けることにより、チャンバーの高さが高くなるという課題があり、チャンバーの高さを低くすることが要求されている。
【０００６】
また、複数の部品を用いることにより、組立て性、メンテナンス性が悪くなるという課題があり、組立て性、メンテナンス性を改善することが要求されている。
【０００７】
本発明は、このような従来の課題を解決するものであり、低騒音で効率を向上し、チャンバー高さを低くし、かつ、吹出し風速の均一化をはかることができ、組立て性、メンテナンス性に優れた、ファンフィルターユニットを提供することを目的とする。
【課題を解決するための手段】
【０００８】
本発明のファンフィルターユニットは、上記目的を達成するために、上部にベルマウス状のオリフィスを形成した吸込口を有し、下部が開放している正方形または長方形のチャンバーを有し、このチャンバーの下部にフィルターが取り付けられ、チャンバー内部に複数の電動機によって駆動される複数のファンを有し、その複数の電動機が、チャンバーの側面または吸込口を有するチャンバー上部に取り付けられた一つの固定台に固定され、前記複数のファンの回転数が各々異なる定格回転数としたものである。
【０００９】
この手段により、複数のファンの回転数が近接しているときに生じるうなり音を抑制することができるファンフィルターユニットが得られる。
【発明の効果】
【００１０】
本発明によれば、複数のファンの回転数が各々異なる定格回転数とすることによって、複数のファンの回転数が近接しているときに生じるうなり音を抑制することができるファンフィルターユニットが得られる。
【発明を実施するための最良の形態】
【００１１】
本発明の請求項１記載の発明は、複数の電動機が、チャンバーの側面または吸込口を有するチャンバー上部に取り付けられた一つの固定台に固定され、前記複数のファンの回転数が各々異なる定格回転数としたものであり、複数のファンの回転数が近接しているときに生じるうなり音を抑制することができ、また、一台あたりのファンの軸方向高さ及び、ファン外径が小さくなり、チャンバーの高さが低くなり、ファン裏側の低風速の領域を小さくし、風速分布を均一にすることができると共に、一つの固定台に複数の電動機が固定されているので、組立て性、メンテナンス性に優れている。
【００１２】
（実施の形態１）
図１は本発明の実施の形態１におけるファンフィッルターユニットの平面図、図２はファンフィルターユニットの断面図である。
【００１３】
図１、図２において、前記した図７と同じ構成については同じ符号を用い、説明を省略する。
【００１４】
図１、図２において、上部にベルマウス状のオリフィスを形成した吸込口１を有し、下部が開放している正方形または長方形のチャンバー１０１を有し、このチャンバー１０１の下部にフィルター１０３が取り付けられ、チャンバー１０１内部に複数の電動機２によって駆動される複数のファン１０２を有し、その複数の電動機２がチャンバー１０１の側面または吸込口１を有するチャンバー１０１の上部に取り付けられた一つの固定台３に固定され、複数のファン１０２の回転数が各々異なる定格回転数とすることによって、複数のファン１０２の回転数が近接しているときに生じるうなり音を抑制することができ、また、一台あたりのファンの軸方向高さ及び、ファン外径が小さくなり、チャンバー１０１の高さが低くなり、ファン裏側の低風速の領域を小さくし、風速分布を均一にすることができると共に、一つの固定台に複数の電動機が固定されているので、組立て性、メンテナンス性が改善されたファンフィルターユニットが得られる。
【００１５】
また、機外静圧が大きい場合、圧力損失の大きいフィルター１０３を取り付けている場合は、ファン１０２は遠心ファンを用いることで、必要な風量を確保し、低騒音、高効率を維持することができる。
【００１６】
また、機外静圧が小さくかつ、圧力損失の小さいフィルター１０３を取り付けている場合は、ファン１０２は軸流ファンを用いることで、ファン裏面の低風速の領域が非常に小さく、風速分布を均一にすることができると共に、機外静圧の低い領域での効率を高くすることができる。
【００１７】
また、複数のファン１０２が各々異なる枚数を持つことによって、各ファン１０２から発生するＮＺ音（回転数Ｎ［ｓｅｃ−１］×Ｚ［枚］）の周波数が一致せずに、離散周波数騒音を低減することができる。
【００１８】
（実施の形態２）
図３は本発明の実施の形態２におけるファンフィルターユニットの斜視図、図４はファンフィルターユニットの断面図、図５は図４の断面図の仕切り板付近の詳細図、図６はファンフィルターユニットの背面図である。
【００１９】
図３から図６において、前記した図７と同じ構成については同じ符号を用い、説明を省略する。
【００２０】
図３、図４において、ファン１０２の周囲にチャンバー１０１をファン１０２の数だけ分割する仕切り板４を設置し、複数のファン１０２の回転数が各々異なる定格回転数とすることによって、複数のファン１０２の回転数が近接しているときに生じるうなり音を抑制することができ、また、複数のファン１０２から流出した流れが互いに衝突するのを抑制し、流れの衝突による損失を低減すると共に、流れの衝突によって発生する乱流騒音を低減することができる。
【００２１】
また、この仕切り板の諸元を図５、図６により説明する。この仕切り板４の高さｈはチャンバー１０１の吸込側面からファン１０２の最下端部までの距離Ｙと略同等となるように構成されている。
【００２２】
また、仕切り板の長さ：Ｘ、ファン外径：Ｄ２、チャンバーの対角の距離：Ｌとの割合が０．５Ｄ２≦Ｘ≦Ｌとなるように構成されている。
【００２３】
また、機外静圧が大きい場合、圧力損失の大きいフィルター１０３を取り付けている場合は、ファン１０２は遠心ファンを用いることで、必要な風量を確保し、低騒音、高効率を維持することができる。
【００２４】
また、機外静圧が小さくかつ、圧力損失の小さいフィルター１０３を取り付けている場合は、ファン１０２は軸流ファンを用いることで、ファン裏面の低風速の領域が非常に小さく、風速分布を均一にすることができると共に、機外静圧の低い領域での効率を高くすることができる。
【００２５】
また、複数のファン１０２が各々異なる枚数を持つことによって、各ファン１０２から発生するＮＺ音（回転数Ｎ［ｓｅｃ−１］×Ｚ［枚］）の周波数が一致せずに、離散周波数騒音を低減することができる。
【００２６】
また、隣り合う二つのファン、ファンａ、ファンｂの中心と仕切り板の距離：ｆ１、ｆ２、回転数：Ｎ１、Ｎ２の割合がｆ１：ｆ２＝Ｎ１：Ｎ２で構成されている。
【産業上の利用可能性】
【００２７】
本発明にかかるファンフィルターユニットは、複数の電動機が、チャンバーの側面または吸込口を有するチャンバー上部に取り付けられた一つの固定台に固定されることによって、一台あたりのファンの軸方向高さ及び、ファン外径が小さくなり、チャンバーの高さが低くなり、ファン裏側の低風速の領域を小さくし、風速分布を均一にすることができると共に、一つの固定台に複数の電動機が固定されているので、組立て性、メンテナンス性に優れ、半導体工場や食品工場などの清浄空間を必要とするクリーンルームで使用されるファンフィルターユニットとして有用である。
【図面の簡単な説明】
【００２８】
【図１】本発明の実施の形態１のファンフィルターユニットの正面図
【図２】同ファンフィルターユニットの断面図
【図３】同本発明の実施の形態２のファンフィルターユニットの斜視図
【図４】同ファンフィルターユニットの断面図
【図５】同ファンフィルターユニットの断面の詳細図
【図６】同ファンフィルターユニットの背面
【図７】従来例のファンフィルターユニットの断面図
【符号の説明】
【００２９】
１        吸込口
２        電動機
３        固定台
４        仕切り板
ｈ        仕切り板の高さ
Ｙ        チャンバーの吸込側面からファンの最下端部までの距離
Ｘ        仕切り板の長さ
Ｄ２      ファン外径
Ｌ        チャンバーの対角の距離
１０２ａ  ファンａ
１０２ｂ  ファンｂ
ｆ１      ファンａの中心と仕切り板の距離
ｆ２      ファンｂの中心と仕切り板の距離
１０１    チャンバー
１０２    ファン
１０３    フィルター
１０４    吸音材
１０５    第一遮蔽板
１０６    第二遮蔽板
【図１】
0003855991.tif 000002
【図２】
0003855991.tif 000003
【図３】
0003855991.tif 000004
【図４】
0003855991.tif 000005
【図５】
0003855991.tif 000006
【図６】
0003855991.tif 000007
【図７】
0003855991.tif 000008